(57)【要約】ファン（３）は、吸気側シュラウド（３ａ）を有するとともにこの吸気側シュラウド（３ａ）の中央部に吸気孔（２２）を有する。ファンケース（２）は、吸気孔（２２）に対向する位置に開口部（１３）を有する。ファンシール（４）は、ファンケース（２）の内壁面（２ａ）と吸気側シュラウド（３ａ）の吸気孔側端面（３ｂ）との間に設けられる。開口部（１３）は、複数のきのこ形アンカー（２ｂ）を有する。ファンシール（４）は、きのこ形アンカー（２ｂ）と嵌合する保持部（４ｂ）を有する。ファンシール（４）が、きのこ形アンカー（２ｂ）を有するファンケース（２）に圧入される。
2013140723.tif 000002
【特許請求の範囲】
【請求項１】
ブラケットに保持された界磁と、
電機子軸の両端に一対の軸受を有し、この一対の軸受により支持された電機子と、
前記ブラケットに設けられた一対のブラシと、
前記電機子軸の出力側に設けられ、吸気側シュラウドを有するとともにこの吸気側シュラウドの中央部に吸気孔を有するファンと、
前記ファンの排気側に配されたエアガイドと、
前記ファンと前記エアガイドとを覆うとともに前記吸気孔に対向する位置に開口部を有するファンケースと、
前記ファンケースの内壁面と前記吸気側シュラウドの吸気孔側端面との間に設けられ、前記内壁面と向かい合う面を内周面とするとともに前記吸気孔側端面と向かい合う面を外周面とするファンシールとを含み、
前記開口部は、複数のきのこ形アンカーを有し、
前記ファンシールは、前記きのこ形アンカーと嵌合する保持部を有する電動送風機。
【請求項２】
前記開口部は、前記吸気孔に向けて開かれた吸気孔側開口端と、前記ファンケースの外側に向けて開かれた外側開口端と、前記吸気孔側開口端と前記外側開口端とを連絡するガイド部と、を備え、
前記ガイド部は、前記ガイド部が延伸するスラスト方向において、前記吸気孔側開口端の周囲に前記複数のきのこ形アンカーを有する請求項１に記載の電動送風機。
【請求項３】
前記保持部は、前記内周面上において、前記きのこ形アンカーを保持する凸部である請求項１または２のいずれかに記載の電動送風機。
【請求項４】
前記凸部の厚みであって、前記凸部が前記内周面から突出した寸法をｔ１とし、前記ガイド部の厚み寸法をｔ２とした場合、ｔ１がｔ２よりも大きい寸法である請求項３に記載の電動送風機。
【請求項５】
前記保持部は、一対の凸部から成り、前記一対の凸部間において、前記内周面は、前記内周面側から前記外周面側に向けて傾斜する傾斜部を有し、
前記きのこ形アンカーは、前記傾斜部に沿って傾斜する請求項３に記載の電動送風機。
【発明の詳細な説明】
【技術分野】
【０００１】
本発明は、電機掃除機やハンドドライヤーなどの電気機器に使用される電動送風機に関する。
【背景技術】
【０００２】
近年、電気機器は省電力化が進んでいる。これにともない、電気機器に使用される電動送風機には、高出力化、高効率化が強く求められる。特に、電気機器である電気掃除機は、より高い吸込仕事率を達成することが要求される。【０００３】
以下、図１４を用いて、従来の電動送風機について説明する。電動送風機は、電動機とファンユニットとが一体となっている。ファンユニットは、電動機に対してエアータイト、すなわち機密性を保った状態で取り付けられる。ファンユニットは、エアガイド１０１と、ファンケース１０２と、ファン１０３と、ファンケーススペーサ１０４と、で構成される。ファン１０３は、吸気側シュラウド１０３ａを有する。ファン１０３は、吸気側シュラウド１０３ａの中央部に吸気孔１２２を有する。【０００４】
図１５は、図１４に示すＺ部を拡大した断面図である。ファン１０３が有する吸気側シュラウド１０３ａの吸気孔側端面１０３ｂは、ファンケーススペーサ１０４が有するベローズ１０４ａの外周側面と接触している。または、吸気側シュラウド１０３ａの吸気孔側端面１０３ｂは、ベローズ１０４ａの外周側面と０．１ｍｍ以下程度のごく微小なクリアランスを有する。吸気側シュラウド１０３ａとファンケーススペーサ１０４とは、これらの状態を構成することで、エアータイト性、すなわち機密性を確保している。【０００５】
さらに、ファンケーススペーサ１０４は、ファンケース１０２とのエアータイト性を確保するために、ファンケース１０２に固定される。ファンケーススペーサ１０４は、ファンケース１０２に対して溶着または接着により固定される。この従来の電動送風機に関連する技術として、特許文献１に記載されたものがある。【０００６】
ところで、従来の電動送風機は、つぎの改善が求められる点を有していた。【０００７】
１つ目は、ファンケーススペーサ１０４が有するベローズ１０４ａの寸法精度、特に、吸気側シュラウド１０３ａと向かい合うベローズ１０４ａの外周側面に関する寸法精度が安定しにくい形状である。【０００８】
２つ目は、ファンケーススペーサ１０４が、ファンケース１０２に対して溶着、または、ファンケース１０２に対して接着により固定されるため、ベローズ１０４ａを有するファンケーススペーサ１０４と、吸気側シュラウド１０３ａを有するファン１０３との同軸度、つまり同軸上に位置する度合いが悪化する。その結果、ベローズ１０４ａの外周側面と、吸気側シュラウド１０３ａの吸気孔側端面１０３ｂとの同軸度が悪化する。【０００９】
３つ目は、ベローズ１０４ａの真円度に関する。つまり、電動送風機を運転すれば、電動機部分で熱が発生する。ファンケース１０２が金属材料で形成されていた場合、この熱が、金属材料であるファンケース１０２を介してファンケーススペーサ１０４に伝わる。伝わった熱により、ファンケーススペーサ１０４の温度が上昇する。温度が上昇したファンケーススペーサ１０４には、熱による膨張などの変形が生じることがある。ファンケーススペーサ１０４が変形すると、ファンケーススペーサ１０４の一部を構成するベローズ１０４ａは、真円度が悪化する。【００１０】
同軸度の悪化や真円度の悪化等、寸法精度が悪くなれば、ファン１０３が有する吸気側シュラウド１０３ａの吸気孔側端面１０３ｂと、ファンケーススペーサ１０４が有するベローズ１０４ａの外周側面との間において、エアータイト性が不充分となる。エアータイト性が不充分になると、ファン１０３の外周から排出された空気が、ファン１０３が有する吸気側シュラウド１０３ａの上方部分とファンケース１０２との隙間を逆流することがある。このような逆流現象は、ファン１０３の吸込口部分、つまり吸気孔１２２へのリークにつながる。その結果、ファン１０３の吸込口部分における真空圧の上昇が妨げられるため、電動送風機の出力低下を招くことになる。この電動送風機の出力低下は、電気掃除機において、吸込仕事率の低下につながる。【００１１】
また、ファンケーススペーサ１０４がファンケース１０２と溶着された後、あるいは、ファンケーススペーサ１０４がファンケース１０２と接着された後、ファンケース１０２は電動送風機のブラケットに圧入される。こうして、ファンケース１０２は、電動送風機のブラケットに固定される。吸気側シュラウド１０３ａの吸気孔側端面１０３ｂとファンケーススペーサ１０４が有するベローズ１０４ａの外周側面とが接触した状態で、ファンケース１０２がブラケットに圧入される。つまり、ファンケース１０２がブラケットに圧入される際、ファンケーススペーサ１０４には、吸気孔１２２の外周部から応力が加えられる。ファンケーススペーサ１０４とファンケース１０２との間には、この応力に耐えることができる溶着力または接着力が必要となる。必要とされる溶着力または接着力を確保するためには、溶着力または接着力に応じたファンケーススペーサ１０４とファンケース１０２とを溶接または接着する面積が必要となる。【００１２】
従って、ファンケーススペーサ１０４は、非常に大型になる。ファンケーススペーサ１０４は、成形品で形成される。【００１３】
更に、ファンケーススペーサ１０４がファンケース１０２に溶着または接着される工程が必要となる。よって、従来の電動送風機は、作業工数が多くなる。
【先行技術文献】
【特許文献】
【００１４】
【特許文献１】特開平６−３２３２９７号公報
【発明の概要】
【００１５】
本発明に関する電動送風機は、界磁と、電機子と、一対のブラシと、ファンと、エアガイドと、ファンケースと、ファンシールと、を含む。
【００１６】
界磁は、ブラケットに保持される。電機子は、電機子軸の両端に一対の軸受を有し、この一対の軸受により支持される。一対のブラシは、ブラケットに設けられる。ファンは、電機子軸の出力側に設けられる。ファンは、吸気側シュラウドを有するとともにこの吸気側シュラウドの中央部に吸気孔を有する。エアガイドは、ファンの排気側に配される。ファンケースは、ファンとエアガイドとを覆う。ファンケースは、吸気孔に対向する位置に開口部を有する。ファンシールは、ファンケースの内壁面と吸気側シュラウドの吸気孔側端面との間に設けられる。ファンシールは、内壁面と向かい合う面を内周面とする。ファンシールは、吸気孔側端面と向かい合う面を外周面とする。開口部は、複数のきのこ形アンカーを有する。ファンシールは、きのこ形アンカーと嵌合する保持部を有する。
【００１７】
ファンシールは、ファンケースに圧入される。ファンシールは、ファンケースに固定される。
【図面の簡単な説明】
【００１８】
【図１】図１は、本発明の実施の形態１における電動送風機の一部を破断した側面図である。
【図２】図２は、同電動送風機の要部の拡大図である。
【図３】図３は、図２に示す同電動送風機の要部の組立図である。
【図４】図４は、同電動送風機が有するファンケースの要部の正面図である。
【図５】図５は、図３に示す矢視Ａ方向から見たファンケースの要部の拡大図である。
【図６】図６は、同電動送風機が有するファンシールの正面図である。
【図７】図７は、図３に示す矢視Ｂ方向から見たファンシールの要部の拡大図である。
【図８】図８は、同電動送風機が有するファンケースとファンシールとを組み立てる手順を説明する要部の組立図である。
【図９】図９は、同電動送風機が有するファンケースとファンシールとを組み立てる手順を説明する要部の組立図である。
【図１０】図１０は、同電動送風機が有するファンケースとファンシールとを組み立てる手順を説明する要部の組立図である。
【図１１】図１１は、本発明の実施の形態２における電動送風機が有するファンシールであって、図７に示すファンシールの１１−１１断面図である。
【図１２】図１２は、同電動送風機が有するファンシールであって、図７に示すファンシールの１２−１２断面図である。
【図１３】図１３は、同電動送風機が有するファンケースとファンシールとを組み立てる手順を説明する要部の組立図である。
【図１４】図１４は、従来の電動送風機の一部を破断した側面図である。
【図１５】図１５は、同電動送風機の要部の拡大図である。
【発明を実施するための形態】
【００１９】
本発明の実施の形態である電動送風機は、後述する構成により、従来の電動送風機において改善が求められる内容を解決する。
【００２０】
なお、以下の説明において、スラスト方向とは、ファンを回転する電機子軸の軸心方向を指す。この軸心方向に沿って、後述する、ファンが有する吸気孔が形成される。また、この軸心方向上には、後述する、この吸気孔と対向するファンケースが有する開口部の中心が位置する。開口部を構成するガイド部は、この軸心方向に沿って延伸される。
【００２１】
同様に、ラジアル方向とは、このスラスト方向に対して垂直に交差する方向を指す。
【００２２】
また、きのこ形アンカーとは、所定幅を有するファンケースの壁面であって、フランジ形状を成す係止部をいう。このフランジ形状は、係止部の先端部分において、係止部が延伸する方向に対して交差する両方向に向かって突出する突起部を有する。
【００２３】
本発明の実施の形態である電動送風機は、界磁と、電機子と、一対のブラシと、ファンと、エアガイドと、ファンケースと、ファンシールと、を含む。
【００２４】
界磁は、ブラケットに保持される。電機子は、電機子軸の両端に一対の軸受を有し、この一対の軸受により支持される。一対のブラシは、ブラケットに設けられる。ファンは、電機子軸の出力側に設けられる。ファンは、吸気側シュラウドを有するとともにこの吸気側シュラウドの中央部に吸気孔を有する。エアガイドは、ファンの排気側に配される。ファンケースは、ファンとエアガイドとを覆う。ファンケースは、吸気孔に対向する位置に開口部を有する。ファンシールは、ファンケースの内壁面と吸気側シュラウドの吸気孔側端面との間に設けられる。ファンシールは、内壁面と向かい合う面を内周面とする。ファンシールは、吸気孔側端面と向かい合う面を外周面とする。開口部は、複数のきのこ形アンカーを有する。ファンシールは、きのこ形アンカーと嵌合する保持部を有する。
【００２５】
本構成において、ファンケースの形状に合致するファンシールが、きのこ形アンカーを有するファンケースに圧入される。このとき、ファンシールが有する保持部が、ファンケースが有するきのこ形アンカーに圧入される。この結果、きのこ形アンカーが、保持部に嵌合される。こうして、ファンシールは、ファンケースに固定される。
【００２６】
ファンシールがファンケースに圧入される構成としたため、ファンシールがファンケースに対して保持されるスラスト方向の強度が維持される。
【００２７】
さらに、本発明の実施の形態である電動送風機において、開口部は、吸気孔側開口端と、外側開口端と、ガイド部と、を備える。
【００２８】
吸気孔側開口端は、吸気孔に向けて開かれている。外側開口端は、ファンケースの外側に向けて開かれている。ガイド部は、吸気孔側開口端と外側開口端とを連絡する。ガイド部は、ガイド部が延伸するスラスト方向において、吸気孔側開口端の周囲に複数のきのこ形アンカーを有する。
【００２９】
本構成とすれば、上記した作用、効果に加え、次の作用、効果を得ることができる。
【００３０】
すなわち、ファンシールは、ゴムや樹脂などの弾力性を有する材料で構成されるため、ファンケースの開口部に沿った形状となる。
【００３１】
具体的には、ファンシールの内周面は、ガイド部の外周、つまり、ファンケースの内壁面に沿った形状となる。ファンシールの内周面の背面であるファンシールの外周面も、ファンケースの内壁面に沿った形状となる。この結果、ファンシールの外周面の形状が安定する。よって、吸気側シュラウドの吸気孔側端面と接触する、或は、吸気側シュラウドの吸気孔側端面と対向するファンシールの外周面は、安定した同軸度、真円度などの寸法精度を確保できる。
【００３２】
また、本発明の実施の形態である電動送風機において、保持部は、次の形状を成せばよい。すなわち、保持部は、内周面上において、きのこ形アンカーを保持する凸部形状である。
【００３３】
特に、顕著な作用効果を奏するためには、次の関係を有する。凸部の厚みであって、この凸部が内周面から突出した寸法をｔ１とする。ガイド部の厚み寸法をｔ２とする。ｔ１は、ｔ２よりも大きい寸法とする。
【００３４】
本構成とすれば、ファンシールの内周面上に、ファンケース、特に、ガイド部を構成する壁面の厚みよりも厚みがある凸部が形成される。つまり、この凸部は、ガイド部を内壁面側から軸心側にかけて、ラジアル方向に先端が飛び出るよう構成される。
【００３５】
よって、凸部は、ファンシールがファンケース、特に、ガイド部に対して、ラジアル方向の保持強度が維持されるように作用する。
【００３６】
また、本発明の実施の形態である電動送風機において、保持部は、次の形状を成せばよい。すなわち、保持部は、一対の凸部から成る。保持部は、一対の凸部間において、内周面が内周面側から外周面側に向けて傾斜する傾斜部を有する。きのこ形アンカーは、傾斜部に沿って傾斜する。
【００３７】
つまり、きのこ形アンカーの先端部が、傾斜部に沿う角度に曲げられる。きのこ形アンカーの先端部が、広げられる。ファンケースは、ファンシールにカシメ固定された状態となる。
【００３８】
よって、ファンシールがファンケースに対して保持されるため、スラスト方向とラジアル方向の強度がさらに向上する。
【００３９】
上記した構成により、本発明の実施の形態である電動送風機は、ファンシールがファンケースの内壁面に沿って圧入される。圧入されたファンシールがファンケースに固定されるため、安定したエアータイト性が確保される。よって、電動送風機の出力が向上する。
【００４０】
また、本発明の実施の形態である電動送風機は、ファンシールというシール材を小型化できる。ファンシールがファンケースの内壁面に沿って圧入されるという、簡易的な固定方法を実現できる。よって、電動送風機において、安価なシール構成を提供できる。
【００４１】
以下、本発明の実施の形態における電動送風機を、図１〜図１３を用いて説明する。なお、以下の実施の形態は、本発明を具体化した一例であって、本発明の技術的範囲を限定するものではない。
【００４２】
（実施の形態１）
図１は、本発明の実施の形態における電動送風機の一部を破断した側面図である。図２は、同電動送風機の要部の拡大図である。図３は、図２に示す同電動送風機の要部の組立図である。
【００４３】
図１に示すように、界磁５は、ブラケット８に固定される。界磁５の中央部には、一対の軸受６により支持された電機子７が配される。ブラケット８には、一対のブラシ９が取り付けられている。制御電流は、この一対のブラシ９を介して電機子７が有する整流子１０へ給電される。制御電流が供給されると、電機子７が回転する。電機子軸２１の出力側には、ファン３がエアータイト、すなわち、機密性を保って取り付けられている。電機子７が回転すれば、ファン３も高速に回転する。ファン３は、中央部に吸気孔２２を有する。ファンケース２は、吸気孔２２と対向する位置に開口部１３を有する。ファン３が回転すると、開口部１３を経て、吸気孔２２から空気が流入する。流入した空気は、ファン３の入口部から外周方向へ排出される。排出された空気は、エアガイド１を通り電動機部へと流される。
【００４４】
図２は、図１に示したＹ部を拡大したものである。ファン３が有する吸気側シュラウド３ａの吸気孔側端面３ｂと、ファンケース２の内壁面２ａとの間には、ファンシール４が配される。ファンシール４は、エアータイト性、すなわち機密性を保持することを目的とする。ファンシール４は、ファンケース２の内部に収められる。図１４、図１５に示すように、従来の電動送風機は、エアータイト性を保持するためのファンケーススペーサ１０４が、ファンケース１０２の外部に構成される。この従来の電動送風機と、本発明の実施の形態における電動送風機とを比較した場合、本発明の実施の形態における電動送風機は、ファンシール４がファンケース２の内部に構成される。よって、エアータイト性を保持する部材が、小型になっている。また、本発明の実施の形態における電動送風機の全長高さも、従来と比較して低くなっている。その結果、本発明の実施の形態における電動送風機は、電動送風機自体が小型化できる。
【００４５】
ファンシール４は、ファンケース２の外側開口端１３ｂ側に外周フラット部４ａを有する。ファンシール４がファンケース２に圧入される際、外周フラット部４ａが圧入治具で保持される。外周フラット部４ａは、圧入治具により、荷重が加えられる。
【００４６】
図３は、ファンシール４が、ファンケース２に圧入される状態を示す。図中、矢印Ｆは、ファンシール４が圧入される方向を示す。
【００４７】
図３に示すように、ファンケース２は、開口部１３を有する。開口部１３は、一方に吸気孔側開口端１３ａを有する。開口部１３は、他方に外側開口端１３ｂを有する。開口部１３は、吸気孔側開口端１３ａと外側開口端１３ｂとを連絡するガイド部１３ｃを有する。ガイド部１３ｃの吸気孔側開口端１３ａの周囲には、きのこ形アンカー２ｂが形成される。
【００４８】
また、ファンシール４の内周面４ｄには、保持部４ｂである凸部４ｆが設けられる。保持部４ｂである凸部４ｆは、ファンケース２の内壁面２ａ側から内径面２ｃ側に向けて突出する構造である。
【００４９】
ガイド部１３ｃを構成する壁面の厚み寸法と凸部４ｆとが次の関係を満たす場合、特に有効である。つまり、凸部４ｆの厚みであって、この凸部４ｆが内周面４ｄから突出した寸法をｔ１とする。ガイド部１３ｃの厚み寸法をｔ２とする。ｔ１は、ｔ２よりも大きい寸法となる。
【００５０】
本構成とすれば、ファンシール４の内周面４ｄ上に、ファンケース２、特に、ガイド部１３ｃを構成する壁面の厚みよりも厚みがある凸部４ｆが形成される。つまり、この凸部４ｆは、ガイド部１３ｃを内壁面２ａ側から軸心側にかけて、ラジアル方向に先端が飛び出るよう構成される。
【００５１】
本構成とすることで、ファン３の回転時にかかるラジアル方向の応力に対して、耐力を有する。
【００５２】
ファンシール４のファン側端部において、内周面４ｄが内周面４ｄ側から外周面４ｅ側へ傾斜した傾斜部４ｃが設けられる。ファンシール４がファンケース２に圧入された後、ファンケース２が有するきのこ形アンカー２ｂの先端部が、傾斜部４ｃと沿うように曲げられる。本構成により、ファンケース２が、ファンシール４に対して、スラスト方向とラジアル方向の両方向において、カシメ固定される。
【００５３】
図４は、本発明の実施の形態における電動送風機が有するファンケースの要部の正面図である。図５は、図３に示す矢視Ａ方向から見たファンケースの要部の拡大図である。
【００５４】
図４は、開口部１３を形成するファンケース２のガイド部１３ｃを、スラスト方向（図１の下方）より見ている。図５は、図３に示すファンケース２が有するガイド部１３ｃを矢印Ａ側から見た状態を示す。
【００５５】
ガイド部１３ｃには、きのこ形アンカー２ｂが６ヶ所設けられる。きのこ形アンカー２ｂの個数は、３〜８ヶ所が好ましい。きのこ形アンカー２ｂの個数が３ヶ所よりも少ないと、ファンシール４を保持する強度が低下する。よって、ファン３が回転する時、ファン３の回転による応力に対する耐力が不足する。その結果、ファン３が回転しているときに、ファンシール４が外れてしまう危険性がある。逆に、きのこ形アンカー２ｂの個数が８ヶ所よりも多くなると、ガイド部１３ｃの真円度が悪くなる。ガイド部１３ｃの真円度が悪くなると、開口部１３の真円度も悪くなる。開口部１３の真円度が悪くなると、ファン３とファンシール４のエアータイト性が悪化する。その結果、電動送風機の出力は低下する。
【００５６】
図６は、本発明の実施の形態における電動送風機が有するファンシールの正面図である。図７は、図３に示す矢視Ｂ方向から見たファンシールの要部の拡大図である。
【００５７】
図６は、ファンシール４をスラスト方向（図１の下方）より見ている。図７は、図３に示すファンシール４が有する保持部４ｂを矢印Ｂ側から見た状態を示す。
【００５８】
ファンシール４には、保持部４ｂが設けられる。保持部４ｂは、一対の凸部４ｆから成る。一対の凸部４ｆは、図５に示したきのこ形アンカー２ｂの両側にある空隙部２ｄに合致する。ファンシール４には、６箇所の保持部４ｂ設けられる。つまり、ファンシール４には、６箇所の保持部４ｂが設けられるため、合計１２個の凸部４ｆが設けられる。
【００５９】
きのこ形アンカー２ｂと保持部４ｂとの関係について、その具体例を示す。
【００６０】
図７に示す一対の凸部４ｆの間隔Ｄは、図５に示すきのこ形アンカー２ｂのエラ部２ｅの幅Ｃよりも０．５ｍｍ程度小さい寸法である。
【００６１】
図５に示すきのこ形アンカー２ｂの根本部分である軸部２ｆの幅Ｅは、図７に示す一対の凸部４ｆの間隔Ｄよりも０．５ｍｍ程度小さい寸法である。
【００６２】
ここで、エラ部２ｅとは、本発明の実施の形態におけるきのこ形アンカー２ｂにおいて、係止部が延伸する方向に対して交差する両方向に向かって突出した突起部をいう。また、エラ部２ｅの幅Ｃとは、この突起部において、突起部が突出した方向に対する幅寸法をいう。本発明の実施の形態において、幅Ｃは、３．５ｍｍの長さを有する。間隔Ｄは、３．０ｍｍの長さを有する。
【００６３】
軸部２ｆとは、本発明の実施の形態におけるきのこ形アンカー２ｂにおいて、ファンケース２本体と、この本体から延伸した係止部の先端部分とを連絡する部分をいう。本発明の実施の形態において、幅Ｅは、２．５ｍｍの長さを有する。
【００６４】
以上の構成を有するファンケース２とファンシール４とが、組み合される。図８から図１０を用いて、ファンケース２とファンシール４とが組み合される手順について、説明する。
【００６５】
図８中、矢印Ｆで示す方向に向かって、一対の凸部４ｆからなる保持部４ｂを有するファンシール４が、きのこ形アンカー２ｂを有するファンケース２に圧入される。
【００６６】
図８から図９に示すように、一対の凸部４ｆが、きのこ形アンカー２ｂに圧入される。上述したように、一対の凸部４ｆの間隔Ｄは、きのこ形アンカー２ｂのエラ部２ｅの幅Ｃよりも０．５ｍｍ程度小さい寸法である。本寸法とすれば、一対の凸部４ｆが、ファンケース２が有するきのこ形アンカー２ｂに圧入される。
【００６７】
さらに、図９から図１０に示すように、一対の凸部４ｆが、きのこ形アンカー２ｂのエラ部２ｅよりも奥に圧入される。上述したように、軸部２ｆの幅Ｅは、一対の凸部４ｆの間隔Ｄよりも０．５ｍｍ程度小さい寸法である。本寸法とすれば、軸部２ｆが、一対の凸部４ｆに嵌合される。軸部２ｆが、一対の凸部４ｆに保持される。
【００６８】
嵌合されたファンシール４は、ＰＰ（Ｐｏｌｙｐｒｏｐｙｌｅｎｅ）やＰＥＴ（Ｐｏｌｙｅｔｈｙｌｅｎｅ  ｔｅｒｅｐｈｔｈａｌａｔｅ）など、熱が加わると収縮する特性を有する材料で構成される。このような特性を有する材料で構成されると、つぎの効果を奏する。すなわち、電動送風機が運転されると、電動送風機の内部温度が上昇する。電動送風機の内部温度が上昇すると、ファンシール４が熱により収縮する。ファンシール４が熱により収縮すると、ファンシール４はファンケース２の形状に倣う。換言すれば、ファンシール４の内周面４ｄとファンケース２の内壁面とは合致する。よって、ファンシール４の内周面４ｄとファンケース２の内壁面とは、より安定した寸法精度となる。
【００６９】
また、この熱収縮により、ファンシール４が有する保持部４ｂによる保持力が向上する効果も得られる。
【００７０】
以上、図１から図９を用いて説明したように、本発明の実施の形態における電動送風機は、界磁５と、電機子７と、一対のブラシ９と、ファン３と、エアガイド１と、ファンケース２と、ファンシール４と、を含む。
【００７１】
界磁５は、ブラケット８に保持される。電機子７は、電機子軸２１の両端に一対の軸受６を有し、この一対の軸受６により支持される。一対のブラシ９は、ブラケット８に設けられる。ファン３は、電機子軸２１の出力側に設けられる。ファン３は、吸気側シュラウド３ａを有するとともにこの吸気側シュラウド３ａの中央部に吸気孔２２を有する。エアガイド１は、ファン３の排気側に配される。ファンケース２は、ファン３とエアガイド１とを覆う。ファンケース２は、吸気孔２２に対向する位置に開口部１３を有する。ファンシール４は、ファンケース２の内壁面２ａと吸気側シュラウド３ａの吸気孔側端面３ｂとの間に設けられる。ファンシール４は、内壁面２ａと向かい合う面を内周面４ｄとする。ファンシール４は、吸気孔側端面３ｂと向かい合う面を外周面４ｅとする。開口部１３は、複数のきのこ形アンカー２ｂを有する。ファンシール４は、きのこ形アンカー２ｂと嵌合する保持部４ｂを有する。
【００７２】
本構成において、ファンケース２の形状に合致するファンシール４が、きのこ形アンカー２ｂを有するファンケース２に圧入される。このとき、ファンシール４が有する保持部４ｂが、ファンケース２が有するきのこ形アンカー２ｂに圧入される。この結果、きのこ形アンカー２ｂが、保持部４ｂに嵌合される。こうして、ファンシール４は、ファンケース２に固定される。
【００７３】
ファンシール４がファンケース２に圧入される構成としたため、ファンシール４がファンケース２に対して保持されるスラスト方向の強度が維持される。
【００７４】
さらに、本発明の実施の形態である電動送風機において、開口部１３は、吸気孔側開口端１３ａと、外側開口端１３ｂと、ガイド部１３ｃと、を備える。
【００７５】
吸気孔側開口端１３ａは、吸気孔２２に向けて開かれている。外側開口端１３ｂは、ファンケース２の外側に向けて開かれている。ガイド部１３ｃは、吸気孔側開口端１３ａと外側開口端１３ｂとを連絡する。ガイド部１３ｃは、ガイド部１３ｃが延伸するスラスト方向において、吸気孔側開口端１３ａの周囲に複数のきのこ形アンカー２ｂを有する。本実施の形態では、特に、ファンケース２が有する吸気孔側開口端１３ａの先端部分に沿って、複数のきのこ形アンカー２ｂが形成される。
【００７６】
なお、複数のきのこ形アンカー２ｂを形成する位置は、吸気孔側開口端１３ａの先端部分に限定されない。後述する、ファンケース２とファンシール４との間においてエアータイト性を維持できれば、複数のきのこ形アンカー２ｂを形成する位置は吸気孔側開口端１３ａの近傍であれば、他の場所でもよい。
【００７７】
本構成とすれば、上記した作用、効果に加え、次の作用、効果を得ることができる。
【００７８】
すなわち、ファンシール４は、ゴムや樹脂などの弾力性を有する材料で構成されるため、ファンケース２の開口部１３に沿った形状となる。
【００７９】
具体的には、ファンシール４の内周面４ｄは、ガイド部１３ｃの外周、つまり、ファンケース２の内壁面２ａに沿った形状となる。ファンシール４の内周面４ｄの背面であるファンシール４の外周面４ｅも、ファンケース２の内壁面２ａに沿った形状となる。この結果、ファンシール４の外周面４ｅの形状が安定する。よって、吸気側シュラウド３ａの吸気孔側端面３ｂと接触する、或は、吸気側シュラウド３ａの吸気孔側端面３ｂと対向するファンシール４の外周面４ｅは、安定した同軸度、真円度などの寸法精度を確保できる。
【００８０】
また、本発明の実施の形態である電動送風機において、保持部４ｂは、次の形状を成す。すなわち、保持部４ｂは、内周面４ｄ上において、きのこ形アンカー２ｂを保持する凸部形状である。本実施の形態では、ファンシール４がファンケース２に圧入されたとき、この凸部４ｆは開口部１３の中心へ向けて突出される。
【００８１】
特に、顕著な作用効果を奏するためには、次の関係を有する。凸部４ｆの厚みであって、この凸部４ｆが内周面４ｄから突出した寸法をｔ１とする。ガイド部１３ｃの厚み寸法をｔ２とする。ｔ１は、ｔ２よりも大きい寸法とする。
【００８２】
本構成とすれば、ファンシール４の内周面４ｄ上に、ファンケース２、特に、ガイド部１３ｃを構成する壁面の厚みよりも厚みがある凸部４ｆが形成される。つまり、この凸部４ｆは、ガイド部１３ｃを内壁面２ａ側から軸心側にかけて、ラジアル方向に先端が飛び出るよう構成される。
【００８３】
よって、凸部４ｆは、ファンシール４がファンケース２、特に、ガイド部１３ｃに対して、ラジアル方向の保持強度が維持されるように作用する。
【００８４】
（実施の形態２）
上述した本発明の実施の形態１に加え、特に顕著な作用効果を奏する構成である本発明の実施の形態２について、図１１から図１３を用いて説明する。
【００８５】
なお、実施の形態１と同じ構成要素については、同一の符号を付与している。実施の形態１と同じ構成要素については、実施の形態１の説明を援用する。
【００８６】
図１１は、本発明の実施の形態２における電動送風機が有するファンシールであって、図７に示すファンシールの１１−１１断面図である。図１２は、同電動送風機が有するファンシールであって、図７に示すファンシールの１２−１２断面図である。図１３は、同電動送風機が有するファンケースとファンシールとを組み立てる順序を説明する要部の組立図である。
【００８７】
図７、図１２に示すように、保持部４ｂは、次の形状を成せばよい。すなわち、保持部４ｂは、一対の凸部４ｆから成る。図１１に示すように、保持部４ｂは、一対の凸部４ｆ間において、内周面４ｄが内周面４ｄ側から外周面４ｅ側に向けて傾斜する傾斜部４ｃを有する。
【００８８】
実施の形態１において、図１０を用いて説明したように、ファンシール４は、ファンケース２に圧入される。その後、図１３に示すように、ファンシール４が有する傾斜部４ｃの傾斜面に沿って、きのこ形アンカー２ｂが傾斜面に沿う角度に曲げられる。すなわち、きのこ形アンカー２ｂは、傾斜部４ｃに沿って傾斜する。
【００８９】
本構成により、きのこ形アンカー２ｂの先端部が、傾斜部４ｃに沿う角度に曲げられる。きのこ形アンカー２ｂの先端部は、ファンケース２の本体からきのこ形アンカー２ｂが延伸する方向に対して交差する両方向に向かって突出する突起部を有する。この突起部が一対の凸部４ｆと係合するため、ファンケース２はファンシール４にカシメ固定された状態となる。
【００９０】
この結果、きのこ形アンカー２ｂの先端部と傾斜部４ｃとを中心として、ファンシール４の内周面４ｄは、ガイド部１３ｃの外周、つまり、ファンケース２の内壁面２ａに沿った形状となる。ファンシール４の内周面４ｄの背面であるファンシール４の外周面４ｅも、ファンケース２の内壁面２ａに沿った形状となる。この結果、ファンシール４の外周面４ｅの形状が、実施の形態１で説明した形態よりもさらに安定する。よって、吸気側シュラウド３ａの吸気孔側端面３ｂと接触する、或は、吸気側シュラウド３ａの吸気孔側端面３ｂと対向するファンシール４の外周面４ｅは、安定した同軸度、真円度などの寸法精度を確保できる。
【００９１】
よって、ファンシール４がファンケース２に対して保持されるため、スラスト方向とラジアル方向の強度がさらに向上する。換言すれば、ファンシール４は、ファンケース２に対して、スラスト方向とラジアル方向の両方向に対してのカシメ固定ができる。
【００９２】
その結果、本発明の実施の形態２における電動送風機は、安定したエアータイト性が確保される。よって、電動送風機の出力が向上する。
【００９３】
以上の説明から明らかなように、本発明の実施の形態における電動送風機は、直接、ファンシールの内周面がファンケースの内壁面と接するように圧入される。きのこ形アンカーが保持部と係合する。ファンケース２は、ファンシール４にカシメ固定された状態となる。よって、電動送風機は、圧入されたファンシールがファンケースに固定されるため、安定したエアータイト性を確保できる。したがって、電動送風機の出力が向上する。
【００９４】
特に、ファンケースが有するきのこ形アンカーの先端部が、ファンシール４が有する傾斜部に沿って曲げられる。本構成とすれば、よりエアータイト性が向上する。
【００９５】
また、本発明の実施の形態における電動送風機によれば、従来の電動送風機と比べ、シール材の小型化が図れる。さらに、本発明の実施の形態における電動送風機によれば、接着や溶着による固定が不要となり、簡易的な構成で固定ができる。よって、本発明の実施の形態における電動送風機は、安価なシール構成を実現できる。
【産業上の利用可能性】
【００９６】
本発明に係る電動送風機は、安価なシール構成により、ファンとファンケースとの間で安定したエアータイト性を確保できる。本発明に係る電動送風機は、電気掃除機やハンドドライヤーなどの電気機器等に適用できる。
【符号の説明】
【００９７】
１    エアガイド
２    ファンケース
２ａ    内壁面
２ｂ    きのこ形アンカー
２ｃ    内径面
２ｄ    空隙部
２ｅ    エラ部
２ｆ    軸部
３    ファン
３ａ    吸気側シュラウド
３ｂ    吸気孔側端面
４    ファンシール
４ａ    外周フラット部
４ｂ    保持部
４ｃ    傾斜部
４ｄ    内周面
４ｅ    外周面
４ｆ    凸部
５    界磁
６    軸受
７    電機子
８  ブラケット
９  ブラシ
１０    整流子
１３    開口部
１３ａ    吸気孔側開口端
１３ｂ    外側開口端
１３ｃ    ガイド部
２１    電機子軸
２２    吸気孔
【図１】
2013140723.tif 000003
【図２】
2013140723.tif 000004
【図３】
2013140723.tif 000005
【図４】
2013140723.tif 000006
【図５】
2013140723.tif 000007
【図６】
2013140723.tif 000008
【図７】
2013140723.tif 000009
【図８】
2013140723.tif 000010
【図９】
2013140723.tif 000011
【図１０】
2013140723.tif 000012
【図１１】
2013140723.tif 000013
【図１２】
2013140723.tif 000014
【図１３】
2013140723.tif 000015
【図１４】
2013140723.tif 000016
【図１５】
2013140723.tif 000017
【手続補正書】
【提出日】平成26年7月14日(2014.7.14)
【手続補正１】
【補正対象書類名】明細書
【補正対象項目名】全文
【補正方法】変更
【補正の内容】
【発明の詳細な説明】
【技術分野】
【０００１】
本発明は、電気掃除機やハンドドライヤーなどの電気機器に使用される電動送風機に関する。
【背景技術】
【０００２】
近年、電気機器は省電力化が進んでいる。これにともない、電気機器に使用される電動送風機には、高出力化、高効率化が強く求められる。特に、電気機器である電気掃除機は、より高い吸込仕事率を達成することが要求される。
【０００３】
以下、図１４を用いて、従来の電動送風機について説明する。電動送風機は、電動機とファンユニットとが一体となっている。ファンユニットは、電動機に対してエアータイト、すなわち機密性を保った状態で取り付けられる。ファンユニットは、エアガイド１０１と、ファンケース１０２と、ファン１０３と、ファンケーススペーサ１０４と、で構成される。ファン１０３は、吸気側シュラウド１０３ａを有する。ファン１０３は、吸気側シュラウド１０３ａの中央部に吸気孔１２２を有する。
【０００４】
図１５は、図１４に示すＺ部を拡大した断面図である。ファン１０３が有する吸気側シュラウド１０３ａの吸気孔側端面１０３ｂは、ファンケーススペーサ１０４が有するベローズ１０４ａの外周側面と接触している。または、吸気側シュラウド１０３ａの吸気孔側端面１０３ｂは、ベローズ１０４ａの外周側面と０．１ｍｍ以下程度のごく微小なクリアランスを有する。吸気側シュラウド１０３ａとファンケーススペーサ１０４とは、これらの状態を構成することで、エアータイト性、すなわち機密性を確保している。
【０００５】
さらに、ファンケーススペーサ１０４は、ファンケース１０２とのエアータイト性を確保するために、ファンケース１０２に固定される。ファンケーススペーサ１０４は、ファンケース１０２に対して溶着または接着により固定される。この従来の電動送風機に関連する技術として、特許文献１に記載されたものがある。
【０００６】
ところで、従来の電動送風機は、つぎの改善が求められる点を有していた。
【０００７】
１つ目は、ファンケーススペーサ１０４が有するベローズ１０４ａの寸法精度、特に、吸気側シュラウド１０３ａと向かい合うベローズ１０４ａの外周側面に関する寸法精度が安定しにくい形状である。
【０００８】
２つ目は、ファンケーススペーサ１０４が、ファンケース１０２に対して溶着、または、ファンケース１０２に対して接着により固定されるため、ベローズ１０４ａを有するファンケーススペーサ１０４と、吸気側シュラウド１０３ａを有するファン１０３との同軸度、つまり同軸上に位置する度合いが悪化する。その結果、ベローズ１０４ａの外周側面と、吸気側シュラウド１０３ａの吸気孔側端面１０３ｂとの同軸度が悪化する。
【０００９】
３つ目は、ベローズ１０４ａの真円度に関する。つまり、電動送風機を運転すれば、電動機部分で熱が発生する。ファンケース１０２が金属材料で形成されていた場合、この熱が、金属材料であるファンケース１０２を介してファンケーススペーサ１０４に伝わる。伝わった熱により、ファンケーススペーサ１０４の温度が上昇する。温度が上昇したファンケーススペーサ１０４には、熱による膨張などの変形が生じることがある。ファンケーススペーサ１０４が変形すると、ファンケーススペーサ１０４の一部を構成するベローズ１０４ａは、真円度が悪化する。
【００１０】
同軸度の悪化や真円度の悪化等、寸法精度が悪くなれば、ファン１０３が有する吸気側シュラウド１０３ａの吸気孔側端面１０３ｂと、ファンケーススペーサ１０４が有するベローズ１０４ａの外周側面との間において、エアータイト性が不充分となる。エアータイト性が不充分になると、ファン１０３の外周から排出された空気が、ファン１０３が有する吸気側シュラウド１０３ａの上方部分とファンケース１０２との隙間を逆流することがある。このような逆流現象は、ファン１０３の吸込口部分、つまり吸気孔１２２へのリークにつながる。その結果、ファン１０３の吸込口部分における真空圧の上昇が妨げられるため、電動送風機の出力低下を招くことになる。この電動送風機の出力低下は、電気掃除機において、吸込仕事率の低下につながる。
【００１１】
また、ファンケーススペーサ１０４がファンケース１０２と溶着された後、あるいは、ファンケーススペーサ１０４がファンケース１０２と接着された後、ファンケース１０２は電動送風機のブラケットに圧入される。こうして、ファンケース１０２は、電動送風機のブラケットに固定される。吸気側シュラウド１０３ａの吸気孔側端面１０３ｂとファンケーススペーサ１０４が有するベローズ１０４ａの外周側面とが接触した状態で、ファンケース１０２がブラケットに圧入される。つまり、ファンケース１０２がブラケットに圧入される際、ファンケーススペーサ１０４には、吸気孔１２２の外周部から応力が加えられる。ファンケーススペーサ１０４とファンケース１０２との間には、この応力に耐えることができる溶着力または接着力が必要となる。必要とされる溶着力または接着力を確保するためには、溶着力または接着力に応じたファンケーススペーサ１０４とファンケース１０２とを溶接または接着する面積が必要となる。
【００１２】
従って、ファンケーススペーサ１０４は、非常に大型になる。ファンケーススペーサ１０４は、成形品で形成される。
【００１３】
更に、ファンケーススペーサ１０４がファンケース１０２に溶着または接着される工程が必要となる。よって、従来の電動送風機は、作業工数が多くなる。
【先行技術文献】
【特許文献】
【００１４】
【特許文献１】特開平６−３２３２９７号公報
【発明の概要】
【００１５】
本発明に関する電動送風機は、界磁と、電機子と、一対のブラシと、ファンと、エアガイドと、ファンケースと、ファンシールと、を含む。
【００１６】
界磁は、ブラケットに保持される。電機子は、電機子軸の両端に一対の軸受を有し、この一対の軸受により支持される。一対のブラシは、ブラケットに設けられる。ファンは、電機子軸の出力側に設けられる。ファンは、吸気側シュラウドを有するとともにこの吸気側シュラウドの中央部に吸気孔を有する。エアガイドは、ファンの排気側に配される。ファンケースは、ファンとエアガイドとを覆う。ファンケースは、吸気孔に対向する位置に開口部を有する。ファンシールは、ファンケースの内壁面と吸気側シュラウドの吸気孔側端面との間に設けられる。ファンシールは、内壁面と向かい合う面を内周面とする。ファンシールは、吸気孔側端面と向かい合う面を外周面とする。開口部は、複数のきのこ形アンカーを有する。ファンシールは、きのこ形アンカーと嵌合する保持部を有する。
【００１７】
ファンシールは、ファンケースに圧入される。ファンシールは、ファンケースに固定される。
【図面の簡単な説明】
【００１８】
【図１】図１は、本発明の実施の形態１における電動送風機の一部を破断した側面図である。
【図２】図２は、同電動送風機の要部の拡大図である。
【図３】図３は、図２に示す同電動送風機の要部の組立図である。
【図４】図４は、同電動送風機が有するファンケースの要部の正面図である。
【図５】図５は、図３に示す矢視Ａ方向から見たファンケースの要部の拡大図である。
【図６】図６は、同電動送風機が有するファンシールの正面図である。
【図７】図７は、図３に示す矢視Ｂ方向から見たファンシールの要部の拡大図である。
【図８】図８は、同電動送風機が有するファンケースとファンシールとを組み立てる手順を説明する要部の組立図である。
【図９】図９は、同電動送風機が有するファンケースとファンシールとを組み立てる手順を説明する要部の組立図である。
【図１０】図１０は、同電動送風機が有するファンケースとファンシールとを組み立てる手順を説明する要部の組立図である。
【図１１】図１１は、本発明の実施の形態２における電動送風機が有するファンシールであって、図７に示すファンシールの１１−１１断面図である。
【図１２】図１２は、同電動送風機が有するファンシールであって、図７に示すファンシールの１２−１２断面図である。
【図１３】図１３は、同電動送風機が有するファンケースとファンシールとを組み立てる手順を説明する要部の組立図である。
【図１４】図１４は、従来の電動送風機の一部を破断した側面図である。
【図１５】図１５は、同電動送風機の要部の拡大図である。
【発明を実施するための形態】
【００１９】
本発明の実施の形態である電動送風機は、後述する構成により、従来の電動送風機において改善が求められる内容を解決する。
【００２０】
なお、以下の説明において、スラスト方向とは、ファンを回転する電機子軸の軸心方向を指す。この軸心方向に沿って、後述する、ファンが有する吸気孔が形成される。また、この軸心方向上には、後述する、この吸気孔と対向するファンケースが有する開口部の中心が位置する。開口部を構成するガイド部は、この軸心方向に沿って延伸される。
【００２１】
同様に、ラジアル方向とは、このスラスト方向に対して垂直に交差する方向を指す。
【００２２】
また、きのこ形アンカーとは、所定幅を有するファンケースの壁面であって、フランジ形状を成す係止部をいう。このフランジ形状は、係止部の先端部分において、係止部が延伸する方向に対して交差する両方向に向かって突出する突起部を有する。
【００２３】
本発明の実施の形態である電動送風機は、界磁と、電機子と、一対のブラシと、ファンと、エアガイドと、ファンケースと、ファンシールと、を含む。
【００２４】
界磁は、ブラケットに保持される。電機子は、電機子軸の両端に一対の軸受を有し、この一対の軸受により支持される。一対のブラシは、ブラケットに設けられる。ファンは、電機子軸の出力側に設けられる。ファンは、吸気側シュラウドを有するとともにこの吸気側シュラウドの中央部に吸気孔を有する。エアガイドは、ファンの排気側に配される。ファンケースは、ファンとエアガイドとを覆う。ファンケースは、吸気孔に対向する位置に開口部を有する。ファンシールは、ファンケースの内壁面と吸気側シュラウドの吸気孔側端面との間に設けられる。ファンシールは、内壁面と向かい合う面を内周面とする。ファンシールは、吸気孔側端面と向かい合う面を外周面とする。開口部は、複数のきのこ形アンカーを有する。ファンシールは、きのこ形アンカーと嵌合する保持部を有する。
【００２５】
本構成において、ファンケースの形状に合致するファンシールが、きのこ形アンカーを有するファンケースに圧入される。このとき、ファンシールが有する保持部が、ファンケースが有するきのこ形アンカーに圧入される。この結果、きのこ形アンカーが、保持部に嵌合される。こうして、ファンシールは、ファンケースに固定される。
【００２６】
ファンシールがファンケースに圧入される構成としたため、ファンシールがファンケースに対して保持されるスラスト方向の強度が維持される。
【００２７】
さらに、本発明の実施の形態である電動送風機において、開口部は、吸気孔側開口端と、外側開口端と、ガイド部と、を備える。
【００２８】
吸気孔側開口端は、吸気孔に向けて開かれている。外側開口端は、ファンケースの外側に向けて開かれている。ガイド部は、吸気孔側開口端と外側開口端とを連絡する。ガイド部は、ガイド部が延伸するスラスト方向において、吸気孔側開口端の周囲に複数のきのこ形アンカーを有する。
【００２９】
本構成とすれば、上記した作用、効果に加え、次の作用、効果を得ることができる。
【００３０】
すなわち、ファンシールは、ゴムや樹脂などの弾力性を有する材料で構成されるため、ファンケースの開口部に沿った形状となる。
【００３１】
具体的には、ファンシールの内周面は、ガイド部の外周、つまり、ファンケースの内壁面に沿った形状となる。ファンシールの内周面の背面であるファンシールの外周面も、ファンケースの内壁面に沿った形状となる。この結果、ファンシールの外周面の形状が安定する。よって、吸気側シュラウドの吸気孔側端面と接触する、或は、吸気側シュラウドの吸気孔側端面と対向するファンシールの外周面は、安定した同軸度、真円度などの寸法精度を確保できる。
【００３２】
また、本発明の実施の形態である電動送風機において、保持部は、次の形状を成せばよい。すなわち、保持部は、内周面上において、きのこ形アンカーを保持する凸部形状である。
【００３３】
特に、顕著な作用効果を奏するためには、次の関係を有する。凸部の厚みであって、この凸部が内周面から突出した寸法をｔ１とする。ガイド部の厚み寸法をｔ２とする。ｔ１は、ｔ２よりも大きい寸法とする。
【００３４】
本構成とすれば、ファンシールの内周面上に、ファンケース、特に、ガイド部を構成する壁面の厚みよりも厚みがある凸部が形成される。つまり、この凸部は、ガイド部を内壁面側から軸心側にかけて、ラジアル方向に先端が飛び出るよう構成される。
【００３５】
よって、凸部は、ファンシールがファンケース、特に、ガイド部に対して、ラジアル方向の保持強度が維持されるように作用する。
【００３６】
また、本発明の実施の形態である電動送風機において、保持部は、次の形状を成せばよい。すなわち、保持部は、一対の凸部から成る。保持部は、一対の凸部間において、内周面が内周面側から外周面側に向けて傾斜する傾斜部を有する。きのこ形アンカーは、傾斜部に沿って傾斜する。
【００３７】
つまり、きのこ形アンカーの先端部が、傾斜部に沿う角度に曲げられる。きのこ形アンカーの先端部が、広げられる。ファンケースは、ファンシールにカシメ固定された状態となる。
【００３８】
よって、ファンシールがファンケースに対して保持されるため、スラスト方向とラジアル方向の強度がさらに向上する。
【００３９】
上記した構成により、本発明の実施の形態である電動送風機は、ファンシールがファンケースの内壁面に沿って圧入される。圧入されたファンシールがファンケースに固定されるため、安定したエアータイト性が確保される。よって、電動送風機の出力が向上する。
【００４０】
また、本発明の実施の形態である電動送風機は、ファンシールというシール材を小型化できる。ファンシールがファンケースの内壁面に沿って圧入されるという、簡易的な固定方法を実現できる。よって、電動送風機において、安価なシール構成を提供できる。
【００４１】
以下、本発明の実施の形態における電動送風機を、図１〜図１３を用いて説明する。なお、以下の実施の形態は、本発明を具体化した一例であって、本発明の技術的範囲を限定するものではない。
【００４２】
（実施の形態１）
図１は、本発明の実施の形態における電動送風機の一部を破断した側面図である。図２は、同電動送風機の要部の拡大図である。図３は、図２に示す同電動送風機の要部の組立図である。
【００４３】
図１に示すように、界磁５は、ブラケット８に固定される。界磁５の中央部には、一対の軸受６により支持された電機子７が配される。ブラケット８には、一対のブラシ９が取り付けられている。制御電流は、この一対のブラシ９を介して電機子７が有する整流子１０へ給電される。制御電流が供給されると、電機子７が回転する。電機子軸２１の出力側には、ファン３がエアータイト、すなわち、機密性を保って取り付けられている。電機子７が回転すれば、ファン３も高速に回転する。ファン３は、中央部に吸気孔２２を有する。ファンケース２は、吸気孔２２と対向する位置に開口部１３を有する。ファン３が回転すると、開口部１３を経て、吸気孔２２から空気が流入する。流入した空気は、ファン３の入口部から外周方向へ排出される。排出された空気は、エアガイド１を通り電動機部へと流される。
【００４４】
図２は、図１に示したＹ部を拡大したものである。ファン３が有する吸気側シュラウド３ａの吸気孔側端面３ｂと、ファンケース２の内壁面２ａとの間には、ファンシール４が配される。ファンシール４は、エアータイト性、すなわち機密性を保持することを目的とする。ファンシール４は、ファンケース２の内部に収められる。図１４、図１５に示すように、従来の電動送風機は、エアータイト性を保持するためのファンケーススペーサ１０４が、ファンケース１０２の外部に構成される。この従来の電動送風機と、本発明の実施の形態における電動送風機とを比較した場合、本発明の実施の形態における電動送風機は、ファンシール４がファンケース２の内部に構成される。よって、エアータイト性を保持する部材が、小型になっている。また、本発明の実施の形態における電動送風機の全長高さも、従来と比較して低くなっている。その結果、本発明の実施の形態における電動送風機は、電動送風機自体が小型化できる。
【００４５】
ファンシール４は、ファンケース２の外側開口端１３ｂ側に外周フラット部４ａを有する。ファンシール４がファンケース２に圧入される際、外周フラット部４ａが圧入治具で保持される。外周フラット部４ａは、圧入治具により、荷重が加えられる。
【００４６】
図３は、ファンシール４が、ファンケース２に圧入される状態を示す。図中、矢印Ｆは、ファンシール４が圧入される方向を示す。
【００４７】
図３に示すように、ファンケース２は、開口部１３を有する。開口部１３は、一方に吸気孔側開口端１３ａを有する。開口部１３は、他方に外側開口端１３ｂを有する。開口部１３は、吸気孔側開口端１３ａと外側開口端１３ｂとを連絡するガイド部１３ｃを有する。ガイド部１３ｃの吸気孔側開口端１３ａの周囲には、きのこ形アンカー２ｂが形成される。
【００４８】
また、ファンシール４の内周面４ｄには、保持部４ｂである凸部４ｆが設けられる。保持部４ｂである凸部４ｆは、ファンケース２の内壁面２ａ側から内径面２ｃ側に向けて突出する構造である。
【００４９】
ガイド部１３ｃを構成する壁面の厚み寸法と凸部４ｆとが次の関係を満たす場合、特に有効である。つまり、凸部４ｆの厚みであって、この凸部４ｆが内周面４ｄから突出した寸法をｔ１とする。ガイド部１３ｃの厚み寸法をｔ２とする。ｔ１は、ｔ２よりも大きい寸法となる。
【００５０】
本構成とすれば、ファンシール４の内周面４ｄ上に、ファンケース２、特に、ガイド部１３ｃを構成する壁面の厚みよりも厚みがある凸部４ｆが形成される。つまり、この凸部４ｆは、ガイド部１３ｃを内壁面２ａ側から軸心側にかけて、ラジアル方向に先端が飛び出るよう構成される。
【００５１】
本構成とすることで、ファン３の回転時にかかるラジアル方向の応力に対して、耐力を有する。
【００５２】
ファンシール４のファン側端部において、内周面４ｄが内周面４ｄ側から外周面４ｅ側へ傾斜した傾斜部４ｃが設けられる。ファンシール４がファンケース２に圧入された後、ファンケース２が有するきのこ形アンカー２ｂの先端部が、傾斜部４ｃと沿うように曲げられる。本構成により、ファンケース２が、ファンシール４に対して、スラスト方向とラジアル方向の両方向において、カシメ固定される。
【００５３】
図４は、本発明の実施の形態における電動送風機が有するファンケースの要部の正面図である。図５は、図３に示す矢視Ａ方向から見たファンケースの要部の拡大図である。
【００５４】
図４は、開口部１３を形成するファンケース２のガイド部１３ｃを、スラスト方向（図１の下方）より見ている。図５は、図３に示すファンケース２が有するガイド部１３ｃを矢印Ａ側から見た状態を示す。
【００５５】
ガイド部１３ｃには、きのこ形アンカー２ｂが６ヶ所設けられる。きのこ形アンカー２ｂの個数は、３〜８ヶ所が好ましい。きのこ形アンカー２ｂの個数が３ヶ所よりも少ないと、ファンシール４を保持する強度が低下する。よって、ファン３が回転する時、ファン３の回転による応力に対する耐力が不足する。その結果、ファン３が回転しているときに、ファンシール４が外れてしまう危険性がある。逆に、きのこ形アンカー２ｂの個数が８ヶ所よりも多くなると、ガイド部１３ｃの真円度が悪くなる。ガイド部１３ｃの真円度が悪くなると、開口部１３の真円度も悪くなる。開口部１３の真円度が悪くなると、ファン３とファンシール４のエアータイト性が悪化する。その結果、電動送風機の出力は低下する。
【００５６】
図６は、本発明の実施の形態における電動送風機が有するファンシールの正面図である。図７は、図３に示す矢視Ｂ方向から見たファンシールの要部の拡大図である。
【００５７】
図６は、ファンシール４をスラスト方向（図１の下方）より見ている。図７は、図３に示すファンシール４が有する保持部４ｂを矢印Ｂ側から見た状態を示す。
【００５８】
ファンシール４には、保持部４ｂが設けられる。保持部４ｂは、一対の凸部４ｆから成る。一対の凸部４ｆは、図５に示したきのこ形アンカー２ｂの両側にある空隙部２ｄに合致する。ファンシール４には、６箇所の保持部４ｂ設けられる。つまり、ファンシール４には、６箇所の保持部４ｂが設けられるため、合計１２個の凸部４ｆが設けられる。
【００５９】
きのこ形アンカー２ｂと保持部４ｂとの関係について、その具体例を示す。
【００６０】
図７に示す一対の凸部４ｆの間隔Ｄは、図５に示すきのこ形アンカー２ｂのエラ部２ｅの幅Ｃよりも０．５ｍｍ程度小さい寸法である。
【００６１】
図５に示すきのこ形アンカー２ｂの根本部分である軸部２ｆの幅Ｅは、図７に示す一対の凸部４ｆの間隔Ｄよりも０．５ｍｍ程度小さい寸法である。
【００６２】
ここで、エラ部２ｅとは、本発明の実施の形態におけるきのこ形アンカー２ｂにおいて、係止部が延伸する方向に対して交差する両方向に向かって突出した突起部をいう。また、エラ部２ｅの幅Ｃとは、この突起部において、突起部が突出した方向に対する幅寸法をいう。本発明の実施の形態において、幅Ｃは、３．５ｍｍの長さを有する。間隔Ｄは、３．０ｍｍの長さを有する。
【００６３】
軸部２ｆとは、本発明の実施の形態におけるきのこ形アンカー２ｂにおいて、ファンケース２本体と、この本体から延伸した係止部の先端部分とを連絡する部分をいう。本発明の実施の形態において、幅Ｅは、２．５ｍｍの長さを有する。
【００６４】
以上の構成を有するファンケース２とファンシール４とが、組み合される。図８から図１０を用いて、ファンケース２とファンシール４とが組み合される手順について、説明する。
【００６５】
図８中、矢印Ｆで示す方向に向かって、一対の凸部４ｆからなる保持部４ｂを有するファンシール４が、きのこ形アンカー２ｂを有するファンケース２に圧入される。
【００６６】
図８から図９に示すように、一対の凸部４ｆが、きのこ形アンカー２ｂに圧入される。上述したように、一対の凸部４ｆの間隔Ｄは、きのこ形アンカー２ｂのエラ部２ｅの幅Ｃよりも０．５ｍｍ程度小さい寸法である。本寸法とすれば、一対の凸部４ｆが、ファンケース２が有するきのこ形アンカー２ｂに圧入される。
【００６７】
さらに、図９から図１０に示すように、一対の凸部４ｆが、きのこ形アンカー２ｂのエラ部２ｅよりも奥に圧入される。上述したように、軸部２ｆの幅Ｅは、一対の凸部４ｆの間隔Ｄよりも０．５ｍｍ程度小さい寸法である。本寸法とすれば、軸部２ｆが、一対の凸部４ｆに嵌合される。軸部２ｆが、一対の凸部４ｆに保持される。
【００６８】
嵌合されたファンシール４は、ＰＰ（Ｐｏｌｙｐｒｏｐｙｌｅｎｅ）やＰＥＴ（Ｐｏｌｙｅｔｈｙｌｅｎｅ  ｔｅｒｅｐｈｔｈａｌａｔｅ）など、熱が加わると収縮する特性を有する材料で構成される。このような特性を有する材料で構成されると、つぎの効果を奏する。すなわち、電動送風機が運転されると、電動送風機の内部温度が上昇する。電動送風機の内部温度が上昇すると、ファンシール４が熱により収縮する。ファンシール４が熱により収縮すると、ファンシール４はファンケース２の形状に倣う。換言すれば、ファンシール４の内周面４ｄとファンケース２の内壁面とは合致する。よって、ファンシール４の内周面４ｄとファンケース２の内壁面とは、より安定した寸法精度となる。
【００６９】
また、この熱収縮により、ファンシール４が有する保持部４ｂによる保持力が向上する効果も得られる。
【００７０】
以上、図１から図９を用いて説明したように、本発明の実施の形態における電動送風機は、界磁５と、電機子７と、一対のブラシ９と、ファン３と、エアガイド１と、ファンケース２と、ファンシール４と、を含む。
【００７１】
界磁５は、ブラケット８に保持される。電機子７は、電機子軸２１の両端に一対の軸受６を有し、この一対の軸受６により支持される。一対のブラシ９は、ブラケット８に設けられる。ファン３は、電機子軸２１の出力側に設けられる。ファン３は、吸気側シュラウド３ａを有するとともにこの吸気側シュラウド３ａの中央部に吸気孔２２を有する。エアガイド１は、ファン３の排気側に配される。ファンケース２は、ファン３とエアガイド１とを覆う。ファンケース２は、吸気孔２２に対向する位置に開口部１３を有する。ファンシール４は、ファンケース２の内壁面２ａと吸気側シュラウド３ａの吸気孔側端面３ｂとの間に設けられる。ファンシール４は、内壁面２ａと向かい合う面を内周面４ｄとする。ファンシール４は、吸気孔側端面３ｂと向かい合う面を外周面４ｅとする。開口部１３は、複数のきのこ形アンカー２ｂを有する。ファンシール４は、きのこ形アンカー２ｂと嵌合する保持部４ｂを有する。
【００７２】
本構成において、ファンケース２の形状に合致するファンシール４が、きのこ形アンカー２ｂを有するファンケース２に圧入される。このとき、ファンシール４が有する保持部４ｂが、ファンケース２が有するきのこ形アンカー２ｂに圧入される。この結果、きのこ形アンカー２ｂが、保持部４ｂに嵌合される。こうして、ファンシール４は、ファンケース２に固定される。
【００７３】
ファンシール４がファンケース２に圧入される構成としたため、ファンシール４がファンケース２に対して保持されるスラスト方向の強度が維持される。
【００７４】
さらに、本発明の実施の形態である電動送風機において、開口部１３は、吸気孔側開口端１３ａと、外側開口端１３ｂと、ガイド部１３ｃと、を備える。
【００７５】
吸気孔側開口端１３ａは、吸気孔２２に向けて開かれている。外側開口端１３ｂは、ファンケース２の外側に向けて開かれている。ガイド部１３ｃは、吸気孔側開口端１３ａと外側開口端１３ｂとを連絡する。ガイド部１３ｃは、ガイド部１３ｃが延伸するスラスト方向において、吸気孔側開口端１３ａの周囲に複数のきのこ形アンカー２ｂを有する。本実施の形態では、特に、ファンケース２が有する吸気孔側開口端１３ａの先端部分に沿って、複数のきのこ形アンカー２ｂが形成される。
【００７６】
なお、複数のきのこ形アンカー２ｂを形成する位置は、吸気孔側開口端１３ａの先端部分に限定されない。後述する、ファンケース２とファンシール４との間においてエアータイト性を維持できれば、複数のきのこ形アンカー２ｂを形成する位置は吸気孔側開口端１３ａの近傍であれば、他の場所でもよい。
【００７７】
本構成とすれば、上記した作用、効果に加え、次の作用、効果を得ることができる。
【００７８】
すなわち、ファンシール４は、ゴムや樹脂などの弾力性を有する材料で構成されるため、ファンケース２の開口部１３に沿った形状となる。
【００７９】
具体的には、ファンシール４の内周面４ｄは、ガイド部１３ｃの外周、つまり、ファンケース２の内壁面２ａに沿った形状となる。ファンシール４の内周面４ｄの背面であるファンシール４の外周面４ｅも、ファンケース２の内壁面２ａに沿った形状となる。この結果、ファンシール４の外周面４ｅの形状が安定する。よって、吸気側シュラウド３ａの吸気孔側端面３ｂと接触する、或は、吸気側シュラウド３ａの吸気孔側端面３ｂと対向するファンシール４の外周面４ｅは、安定した同軸度、真円度などの寸法精度を確保できる。
【００８０】
また、本発明の実施の形態である電動送風機において、保持部４ｂは、次の形状を成す。すなわち、保持部４ｂは、内周面４ｄ上において、きのこ形アンカー２ｂを保持する凸部形状である。本実施の形態では、ファンシール４がファンケース２に圧入されたとき、この凸部４ｆは開口部１３の中心へ向けて突出される。
【００８１】
特に、顕著な作用効果を奏するためには、次の関係を有する。凸部４ｆの厚みであって、この凸部４ｆが内周面４ｄから突出した寸法をｔ１とする。ガイド部１３ｃの厚み寸法をｔ２とする。ｔ１は、ｔ２よりも大きい寸法とする。
【００８２】
本構成とすれば、ファンシール４の内周面４ｄ上に、ファンケース２、特に、ガイド部１３ｃを構成する壁面の厚みよりも厚みがある凸部４ｆが形成される。つまり、この凸部４ｆは、ガイド部１３ｃを内壁面２ａ側から軸心側にかけて、ラジアル方向に先端が飛び出るよう構成される。
【００８３】
よって、凸部４ｆは、ファンシール４がファンケース２、特に、ガイド部１３ｃに対して、ラジアル方向の保持強度が維持されるように作用する。
【００８４】
（実施の形態２）
上述した本発明の実施の形態１に加え、特に顕著な作用効果を奏する構成である本発明の実施の形態２について、図１１から図１３を用いて説明する。
【００８５】
なお、実施の形態１と同じ構成要素については、同一の符号を付与している。実施の形態１と同じ構成要素については、実施の形態１の説明を援用する。
【００８６】
図１１は、本発明の実施の形態２における電動送風機が有するファンシールであって、図７に示すファンシールの１１−１１断面図である。図１２は、同電動送風機が有するファンシールであって、図７に示すファンシールの１２−１２断面図である。図１３は、同電動送風機が有するファンケースとファンシールとを組み立てる順序を説明する要部の組立図である。
【００８７】
図７、図１２に示すように、保持部４ｂは、次の形状を成せばよい。すなわち、保持部４ｂは、一対の凸部４ｆから成る。図１１に示すように、保持部４ｂは、一対の凸部４ｆ間において、内周面４ｄが内周面４ｄ側から外周面４ｅ側に向けて傾斜する傾斜部４ｃを有する。
【００８８】
実施の形態１において、図１０を用いて説明したように、ファンシール４は、ファンケース２に圧入される。その後、図１３に示すように、ファンシール４が有する傾斜部４ｃの傾斜面に沿って、きのこ形アンカー２ｂが傾斜面に沿う角度に曲げられる。すなわち、きのこ形アンカー２ｂは、傾斜部４ｃに沿って傾斜する。
【００８９】
本構成により、きのこ形アンカー２ｂの先端部が、傾斜部４ｃに沿う角度に曲げられる。きのこ形アンカー２ｂの先端部は、ファンケース２の本体からきのこ形アンカー２ｂが延伸する方向に対して交差する両方向に向かって突出する突起部を有する。この突起部が一対の凸部４ｆと係合するため、ファンケース２はファンシール４にカシメ固定された状態となる。
【００９０】
この結果、きのこ形アンカー２ｂの先端部と傾斜部４ｃとを中心として、ファンシール４の内周面４ｄは、ガイド部１３ｃの外周、つまり、ファンケース２の内壁面２ａに沿った形状となる。ファンシール４の内周面４ｄの背面であるファンシール４の外周面４ｅも、ファンケース２の内壁面２ａに沿った形状となる。この結果、ファンシール４の外周面４ｅの形状が、実施の形態１で説明した形態よりもさらに安定する。よって、吸気側シュラウド３ａの吸気孔側端面３ｂと接触する、或は、吸気側シュラウド３ａの吸気孔側端面３ｂと対向するファンシール４の外周面４ｅは、安定した同軸度、真円度などの寸法精度を確保できる。
【００９１】
よって、ファンシール４がファンケース２に対して保持されるため、スラスト方向とラジアル方向の強度がさらに向上する。換言すれば、ファンシール４は、ファンケース２に対して、スラスト方向とラジアル方向の両方向に対してのカシメ固定ができる。
【００９２】
その結果、本発明の実施の形態２における電動送風機は、安定したエアータイト性が確保される。よって、電動送風機の出力が向上する。
【００９３】
以上の説明から明らかなように、本発明の実施の形態における電動送風機は、直接、ファンシールの内周面がファンケースの内壁面と接するように圧入される。きのこ形アンカーが保持部と係合する。ファンケース２は、ファンシール４にカシメ固定された状態となる。よって、電動送風機は、圧入されたファンシールがファンケースに固定されるため、安定したエアータイト性を確保できる。したがって、電動送風機の出力が向上する。
【００９４】
特に、ファンケースが有するきのこ形アンカーの先端部が、ファンシール４が有する傾斜部に沿って曲げられる。本構成とすれば、よりエアータイト性が向上する。
【００９５】
また、本発明の実施の形態における電動送風機によれば、従来の電動送風機と比べ、シール材の小型化が図れる。さらに、本発明の実施の形態における電動送風機によれば、接着や溶着による固定が不要となり、簡易的な構成で固定ができる。よって、本発明の実施の形態における電動送風機は、安価なシール構成を実現できる。
【産業上の利用可能性】
【００９６】
本発明に係る電動送風機は、安価なシール構成により、ファンとファンケースとの間で安定したエアータイト性を確保できる。本発明に係る電動送風機は、電気掃除機やハンドドライヤーなどの電気機器等に適用できる。
【符号の説明】
【００９７】
１    エアガイド
２    ファンケース
２ａ    内壁面
２ｂ    きのこ形アンカー
２ｃ    内径面
２ｄ    空隙部
２ｅ    エラ部
２ｆ    軸部
３    ファン
３ａ    吸気側シュラウド
３ｂ    吸気孔側端面
４    ファンシール
４ａ    外周フラット部
４ｂ    保持部
４ｃ    傾斜部
４ｄ    内周面
４ｅ    外周面
４ｆ    凸部
５    界磁
６    軸受
７    電機子
８    ブラケット
９    ブラシ
１０    整流子
１３    開口部
１３ａ    吸気孔側開口端
１３ｂ    外側開口端
１３ｃ    ガイド部
２１    電機子軸
２２    吸気孔
【手続補正２】
【補正対象書類名】特許請求の範囲
【補正対象項目名】全文
【補正方法】変更
【補正の内容】
【特許請求の範囲】
【請求項１】
ブラケットに保持された界磁と、
電機子軸の両端に一対の軸受を有し、この一対の軸受により支持された電機子と、
前記ブラケットに設けられた一対のブラシと、
前記電機子軸の出力側に設けられ、吸気側シュラウドを有するとともにこの吸気側シュラウドの中央部に吸気孔を有するファンと、
前記ファンの排気側に配されたエアガイドと、
前記ファンと前記エアガイドとを覆うとともに前記吸気孔に対向する位置に開口部を有するファンケースと、
前記ファンケースの内壁面と前記吸気側シュラウドの吸気孔側端面との間に設けられ、前記内壁面と向かい合う面を内周面とするとともに前記吸気孔側端面と向かい合う面を外周面とするファンシールとを含み、
前記開口部は、複数のきのこ形アンカーを有し、
前記ファンシールは、前記きのこ形アンカーと嵌合する保持部を有する電動送風機。
【請求項２】
前記開口部は、前記吸気孔に向けて開かれた吸気孔側開口端と、前記ファンケースの外側に向けて開かれた外側開口端と、前記吸気孔側開口端と前記外側開口端とを連絡するガイド部と、を備え、
前記ガイド部は、前記ガイド部が延伸するスラスト方向において、前記吸気孔側開口端の周囲に前記複数のきのこ形アンカーを有する請求項１に記載の電動送風機。
【請求項３】
前記保持部は、前記内周面上において、前記きのこ形アンカーを保持する凸部である請求項２に記載の電動送風機。
【請求項４】
前記凸部の厚みであって、前記凸部が前記内周面から突出した寸法をｔ１とし、前記ガイド部の厚み寸法をｔ２とした場合、ｔ１がｔ２よりも大きい寸法である請求項３に記載の電動送風機。
【請求項５】
前記保持部は、一対の凸部から成り、前記一対の凸部間において、前記内周面は、前記内周面側から前記外周面側に向けて傾斜する傾斜部を有し、
前記きのこ形アンカーは、前記傾斜部に沿って傾斜する請求項３に記載の電動送風機。
【請求項６】
前記保持部は、前記内周面上において、前記きのこ形アンカーを保持する凸部である請求項１に記載の電動送風機。
【請求項７】
前記保持部は、一対の凸部から成り、前記一対の凸部間において、前記内周面は、前記内周面側から前記外周面側に向けて傾斜する傾斜部を有し、
前記きのこ形アンカーは、前記傾斜部に沿って傾斜する請求項６に記載の電動送風機。
【手続補正３】
【補正対象書類名】図面
【補正対象項目名】全図
【補正方法】変更
【補正の内容】
【図１】
2013140723.tif 000018
【図２】
2013140723.tif 000019
【図３】
2013140723.tif 000020
【図４】
2013140723.tif 000021
【図５】
2013140723.tif 000022
【図６】
2013140723.tif 000023
【図７】
2013140723.tif 000024
【図８】
2013140723.tif 000025
【図９】
2013140723.tif 000026
【図１０】
2013140723.tif 000027
【図１１】
2013140723.tif 000028
【図１２】
2013140723.tif 000029
【図１３】
2013140723.tif 000030
【図１４】
2013140723.tif 000031
【図１５】
2013140723.tif 000032
【国際調査報告】
2013140723.tif 000033
2013140723.tif 000034
2013140723.tif 000035
2013140723.tif 000036